(57)【特許請求の範囲】
【請求項１】
落下物を受け止める面状のネットと、前記ネットの周縁部下面に沿って配設され、前記ネットを支持する枠体とを有するネットユニット、および
前記枠体の下面に沿って配設された棒状の支柱本体と、前記支柱本体の上面における幅方向中央部に上方へ突出して設けられ、前記枠体の外側面に接合される接合部とを有する支柱を備える、落下物防御ネット。
【請求項２】
前記枠体および前記接合部には、これらを貫通する孔が形成されており、前記孔に挿通されたボルトによって、前記ネットユニットが前記支柱に着脱自在に装着されている、請求項１記載の落下物防御ネット。
【請求項３】
落下物を受け止める面状のネットと、前記ネットの周縁部下面に沿って配設され、前記ネットを支持する枠体とを有するネットユニット、および前記枠体の下面に沿って配設された棒状の支柱本体と、前記支柱本体の上面における幅方向中央部に上方へ突出して設けられた接合部とを有する支柱を備える落下物防御ネットの施工方法であって、
（ａ）複数の前記支柱を建造物の外壁から略水平方向へ突出するようにして、互いに所定間隔を隔てて平行に配設し、
（ｂ）隣り合う２本の前記支柱における前記支柱本体の上面に前記ネットユニットを載置し、
（ｃ）隣り合う２本の前記支柱における前記接合部を前記ネットユニットにおける前記枠体の外側面に接合する、落下物防御ネットの施工方法。
【請求項４】
前記（ｃ）工程の後に、前記ネットユニットの側端部に化粧カバーを装着する、請求項３記載の落下物防御ネットの施工方法。
【発明の詳細な説明】
【技術分野】
【０００１】
本発明は、集合住宅や公共施設等の建造物に設置され、落下物から住民や歩行者等を保護する、落下物防御ネットおよびその施工方法に関する。
【背景技術】
【０００２】
集合住宅や公共施設等の建造物においては、上層階の窓やベランダ等から落下物（洗濯物、布団、ゴミ等）が落下するおそれがあり、これらの落下物が下層階の住民や歩行者等に当たると、怪我を伴う重大事故になりかねない。そこで、従来では、建造物の外壁等に落下物防御ネットを設置することによって、落下物を空中で受け止めるようにしていた（特許文献１参照）。
【０００３】
特許文献１に記載された従来の落下物防御ネットは、線格子ネットユニットと、これを支持する棒状の連結部材（すなわち支柱）とによって構成されている。線格子ネットユニットは、落下物を受け止める線格子ネット体と、線格子ネット体の側縁に取り付けられた補強金属パイプ部材とを有しており、連結部材は、補強金属パイプ部材を受容する断面略Ｃ状の管状部を有している。
【０００４】
そして、防御対象区域に落下物防御ネットを施工する際には、建物の外壁等に連結部材を設置した後、連結部材の管状部に線格子ネットユニットの補強金属パイプ部材を挿入することによって、連結部材に対して線格子ネットユニットを取り付けるようにしていた。
【特許文献１】特許第２８４１１８５号公報
【発明の開示】
【発明が解決しようとする課題】
【０００５】
従来の落下物防御ネット（特許文献１）では、連結部材の管状部に線格子ネットユニットの補強金属パイプ部材を挿入していたが、その際には、管状部の軸と補強金属パイプ部材の軸とを一致させる必要があるため、挿入作業が極めて面倒であり、施工性が悪いという問題があった。
【０００６】
それゆえに、本発明の主たる課題は、施工性を高めることのできる、落下物防御ネットおよびその施工方法を提供することである。
【課題を解決するための手段】
【０００７】
請求項１に記載した発明は、「落下物１６を受け止める面状のネット２６と、前記ネット２６の周縁部下面に沿って配設され、前記ネット２６を支持する枠体２８とを有するネットユニット２０、および前記枠体２８の下面に沿って配設された棒状の支柱本体４８と、前記支柱本体４８の上面における幅方向中央部に上方へ突出して設けられ、前記枠体２８の外側面に接合される接合部５２とを有する支柱２２を備える、落下物防御ネット１０」である。
【０００８】
この発明では、ネットユニット２０を構成するネット２６の周縁部下面に沿って枠体２８が配設されており、枠体２８の外側面に、支柱２２を構成する接合部５２が着脱自在に接合されている。したがって、支柱２２に対するネットユニット２０の着脱作業をネットユニット２０の下側で行うことができる。また、接合部５２は、支柱本体４８の上面における幅方向中央部に上方へ突出して設けられているので、支柱本体４８の上面においては、接合部５２を挟んだ両側にネットユニット２０を受けるユニット受部４８ａが確保される。したがって、１本の支柱２２によって隣接する２つネットユニット２０を支持することができる。
【０００９】
請求項２に記載した発明は、請求項１に記載した「落下物防御ネット１０」において、「前記枠体２８および前記接合部５２には、これらを貫通する孔４４，６０が形成されており、前記孔４４，６０に挿通されたボルト４２によって、前記ネットユニット２０が前記支柱２２に着脱自在に装着されている」ことを特徴とする。
【００１０】
この発明は、ネットユニット２０を構成する枠体２８と支柱２２を構成する接合部５２との接合手段としてボルトを用いるようにしたものである。
【００１１】
請求項３に記載した発明は、「落下物１６を受け止める面状のネット２６と、前記ネット２６の周縁部下面に沿って配設され、前記ネット２６を支持する枠体２８とを有するネットユニット２０、および前記枠体２８の下面に沿って配設された棒状の支柱本体４８と、前記支柱本体４８の上面における幅方向中央部に上方へ突出して設けられた接合部５２とを有する支柱２２を備える落下物防御ネットの施工方法であって、（ａ）複数の前記支柱２２を建造物１２の外壁１８から略水平方向へ突出するようにして、互いに所定間隔を隔てて平行に配設し、（ｂ）隣り合う２本の前記支柱２２における前記支柱本体４８の上面に前記ネットユニット２０を載置し、（ｃ）隣り合う２本の前記支柱２２における前記接合部５２を前記ネットユニット２０における前記枠体２８の外側面に接合する、落下物防御ネットの施工方法」である。
【００１２】
この発明では、複数の支柱２２を互いに所定間隔を隔てて平行に配設するようにしているので、隣り合う２本の支柱２２間に、ネットユニット２０を通過させる空間を確保することができる。したがって、支柱本体４８の上面にネットユニット２０を載置する際には、この空間を通して支柱２２の下方から上方へ向けてネットユニット２０を持ち上げることができる。また、ネットユニット２０の枠体２８は、ネット２６の周縁部下面に沿って配設されているので、接合部５２を枠体２８の外側面に接合する際には、その接合作業をネットユニット２０の下側で行うことができる。また、接合部５２は、支柱本体４８の上面における幅方向中央部に上方へ突出して設けられているので、支柱本体４８の上面においては、接合部５２を挟んだ両側にネットユニット２０を受けるユニット受部４８ａを確保できる。したがって、１本の支柱２２によって隣接する２つネットユニット２０を支持することができる。
【００１３】
請求項４に記載した発明は、請求項３に記載した「落下物防御ネットの施工方法」であって、「前記（ｃ）工程の後に、前記ネットユニット２０の側端部に化粧カバー２４を装着する」ことを特徴とする。
【００１４】
この発明は、ネットユニット２０の側端部を化粧カバー２４で覆うようにしたものである。
【発明の効果】
【００１５】
請求項１〜４に記載した発明によれば、ネットユニット２０を支柱２２に取り付ける作業をネットユニット２０の下側で行うことができるので、施工性を飛躍的に高めることができる。また、ネット２６に落下物１６が衝突すること等によってネットユニット２０が破損した場合には、ネットユニット２０の下側からこれを簡単に交換することができる。
【発明を実施するための最良の形態】
【００１６】
図１は、本発明に係る落下物防御ネット１０が適用された建造物１２を示す斜視図であり、図２は、落下物防御ネット１０を示す平面図である。
【００１７】
図１に示した建造物１２は、具体的にはマンションであり、各階には、ベランダ１４が設けられており、１階部分の前方には、人が通行する通路または専用庭等が設けられている。したがって、上層階のベランダ１４から落下した落下物（洗濯物、布団またはゴミ等）１６が通路や専用庭にいる人に当たる危険を回避する必要があり、かかる必要性から建造物１２の外壁１８から略水平方向に突出して落下物防御ネット１０が設けられている。ただし、落下物防御ネット１０は、マンションの他、公共施設または高速道路等のような落下物１６による危険が発生するあらゆる建造物に適用可能であり、適用箇所に応じて各構成部材の寸法等を変更することができる。
【００１８】
以下には、建造物１２に適用される落下物防御ネット１０について説明する。
【００１９】
落下物防御ネット１０は、図２に示すように、ネットユニット２０と、ネットユニット２０を支持する支柱２２と、化粧カバー２４とを備えている。
【００２０】
ネットユニット２０は、図３および図４に示すように、落下物１６を受け止める面状のネット２６と、ネット２６の周縁部下面に沿って配設され、ネット２６を支持する枠体２８と、枠体２８の上面においてネット２６を挟持する挟持部材３０とを備えている。
【００２１】
ネット２６（図３、図４）は、互いに交差する縦横の素線３２を交点において接合することによって、略四角形の平面状に構成されており、ネット２６の縦方向（図３、図４における左右方向）の端縁には、下方へ向けて直角に折り曲げられた屈曲部３４（図４）が形成されている。ネット２６を構成する各素線３２は、落下物１６（図１）を受けたときの衝撃に耐え得るように、金属（ステンレス、アルミニウム等）または高強度繊維（アラミド繊維等）等のような高強度材料によって所定の線径で形成されている。
【００２２】
なお、この実施例における「縦方向」とは、建造物１２の外壁１８に対して直交する方向をいい、「横方向」とは、建造物１２の外壁１８に対して平行な方向をいうものとする。
【００２３】
枠体２８（図３、図４）は、４本の棒状部材３６をコーナー金具（図示省略）で連結することによって略四角形の枠状に構成されている。各棒状部材３６は、金属（アルミニウム、ステンレス等）等の高強度材料からなる断面略四角形の中空部材であり、その上面３６ａおよび下面３６ｂは互いに平行に形成されており、その内側面３６ｃおよび外側面３６ｄは、上面３６ａおよび下面３６ｂに対して垂直に形成されている。そして、「縦方向」において対向する一組の棒状部材３６の上面３６ａおよび外側面３６ｄには、挟持部材３０を固定するネジ３８が螺合される複数のネジ孔４０（図４）が形成されており、「横方向」において対向する一組の棒状部材３６の内側面３６ｃおよび外側面３６ｄには、ボルト４２が挿通される複数の孔４４（図７）が形成されている。
【００２４】
挟持部材３０（図３、図４）は、金属（アルミニウム、ステンレス等）等の高強度材料からなる断面略Ｌ状の棒材であり、枠体２８を構成する棒状部材３６の上面３６ａと対向する水平部３０ａと、棒状部材３６の外側面３６ｄと対向する鉛直部３０ｂとによって構成されている。そして、水平部３０ａおよび鉛直部３０ｂには、上述のネジ３８が挿通される複数の孔４６（図４）と、化粧カバー取付用のネジ４５が螺合されるネジ孔４７（図８）とが形成されている。
【００２５】
ネットユニット２０を組み立てる際には、枠体２８の上面にネット２６の周縁部を載置し、ネット２６の縦方向端縁に形成された屈曲部３４を、枠体２８を構成する棒状部材３６の外側面３６ｄに沿わせて配置する。そして、ネット２６の周縁部上面に挟持部材３０を位置決めし、挟持部材３０に形成された各孔４６にネジ３８を挿通するとともに、このネジ３８を枠体２８に形成されたネジ孔４０に螺合する。すると、枠体２８の上面と挟持部材３０とによってネット２６の周縁部が挟持され、枠体２８の内側においてネット２６が支持される。
【００２６】
したがって、落下物１６を受けた際にネット２６に過大な衝撃が加わると、挟持部材３０による挟持箇所においてネット２６が摺動することとなり、落下物１６による衝撃が摺動エネルギーに変換されて効率よく吸収される。
【００２７】
支柱２２は、図５および図６に示すように、枠体２８（図３、図４）を構成する棒状部材３６の下面３６ｂに沿って配設される棒状の支柱本体４８と、枠体２８を構成する棒状部材３６の外側面３６ｄにスペーサ５０（図７）を介して着脱自在に接合される接合部５２と、建造物１２の外壁１８に固定される２つの固定部材５４とを備えている。
【００２８】
なお、支柱２２には、ネットユニット２０を受ける強度が要求されることから、支柱本体４８、接合部５２および固定部材５４は、金属（ステンレス、アルミニウム等）等の高強度材料によって形成されている。
【００２９】
支柱本体４８（図５、図６）は、断面略四角形の中空部材であり、支柱本体４８の４つの内壁面のそれぞれには、２つの突条５６が長手方向の全長に亘って互いに平行に形成されている。各突条５６は、支柱本体４８を補強する機能と、取付柱５８（図１３）に対するがたつきを防止する機能とを併有するものである。各突条５６の高さは、その先端が取付柱５８の外面に当接するように設定されている。そして、支柱本体４８の下面には、化粧カバー取付用のネジ４５が螺合されるネジ孔４９（図７）が形成されている。
【００３０】
接合部５２（図５、図６）は、支柱本体４８の上面における幅方向中央部に上方へ突出して形成された板状または棒状（この実施例では板状）の部材であり、支柱本体４８の上面と直角をなすようにして、支柱本体４８の長手方向の全長に亘って形成されている。したがって、支柱本体４８の上面においては、接合部５２を挟んだ両側にネットユニット２０を受けるユニット受部４８ａが確保されることになる。そして、接合部５２には、ネットユニット２０を連結するためのボルト４２が挿通される複数の孔６０（図５、図７）が形成されており、また、固定部材５４を取り付けるためのボルト６２が挿通される複数の孔６４（図６）が形成されている。
【００３１】
各固定部材５４（図５、図６）は、断面略Ｌ状の棒材であり、ベランダ１４（図１）の天井部分１４ａ（図２、図１０）等に固定される水平部５４ａと接合部５２に取り付けられる鉛直部５４ｂとによって構成されている。そして、水平部５４ａには、ボルト６６（図１０）が挿通される複数の孔６８（図５）が形成されており、鉛直部５４ｂには、ボルト６２が挿通される複数の孔７０（図６）が形成されている。
【００３２】
そして、図６に示すように、２つの固定部材５４が接合部５２の両側に、これを挟むようにして配置され、各固定部材５４の孔７０と接合部５２の孔６４とにボルト６２が挿通され、このボルト６２にナット７２が螺合される。
【００３３】
化粧カバー２４は、図７および図８に示すように、ネットユニット２０および支柱２２の側端部に装飾性を付与するものであり、アルミニウム等のような金属やＡＢＳまたはアクリル等の合成樹脂によって形成された所定の断面形状を有する長尺部材である。化粧カバー２４の断面形状は、特に限定されるものではないが、この実施例では、下側水平部２４ａ、鉛直部２４ｂ、中間水平部２４ｃ、傾斜部２４ｄ、湾曲部２４ｅ、上側水平部２４ｆおよび段差部２４ｇを連続させた形状が採用されている。そして、下側水平部２４ａおよび段差部２４ｇには、ネジ４５が挿通される孔７４（図７、図８）が形成されており、下側水平部２４ａと鉛直部２４ｂとがなすコーナー部の内面および上側水平部２４ｆの内面には、端部キャップ取付用のネジ（図示省略）が螺合されるネジ孔７６（図７）が形成されている。
【００３４】
化粧カバー２４をネットユニット２０の縦方向側端部に装着する際には、図８に示すように、段差部２４ｇが挟持部材３０にネジ４５によって固定される。一方、化粧カバー２４をネットユニット２０の横方向側端部に装着する際には、図７に示すように、下側水平部２４ａが支柱２２の支柱本体４８にネジ４５によって固定されるとともに、段差部２４ｇが支柱２２の接合部５２に取付金具７８を介して固定される。
【００３５】
取付金具７８は、図７に示すように、水平部７８ａと鉛直部７８ｂとを有する略Ｌ状に構成されており、水平部７８ａには、化粧カバー取付用のネジ４５が螺合されるネジ孔８０が形成されており、鉛直部７８ｂには、ボルト４２が挿通される複数の孔８２が形成されている。そして、取付金具７８の鉛直部７８ｂが孔８２に挿通されるボルト４２を用いて接合部５２に固定され、化粧カバー２４の段差部２４ｇがネジ孔８０に螺合されるネジ４５を用いて水平部７８ａに固定される。
【００３６】
そして、ネットユニット２０のコーナー部においては、図２に示すように、縦方向側端部および横方向側端部のそれぞれに装着される化粧カバー２４がコーナー部材８４を介して直角に接合される。
【００３７】
落下物防御ネット１０（図１、図２）を施工する際には、まず、図９および図１０に示すように、ベランダ１４（図１）の天井部分１４ａにナット８６を埋設し、続いて、支柱２２を構成する固定部材５４の孔６８にボルト６６を挿通し、このボルト６６をナット８６に螺合する。このようにして、複数の支柱２２を建造物１２の外壁１８から略水平方向へ突出するようにして、互いに所定間隔を隔てて平行に配設する（図９）。
【００３８】
続いて、図１１に示すように、隣り合う２本の支柱２２における支柱本体４８の上面に、２つのネットユニット２０を縦方向に並べて載置する。このとき、支柱本体４８の上面では、接合部５２を挟んだ両側にネットユニット２０を受けるユニット受部４８ａ（図６）が確保されているので、１本の支柱２２によって横方向で隣り合う２つのネットユニット２０を支持することができる。
【００３９】
そして、図１２に示すように、ユニット受部４８ａで受けられた各ネットユニット２０をボルト４２を用いて支柱２２に固定する。つまり、各ネットユニット２０を構成する枠体２８の孔４４（図７）と、支柱２２を構成する接合部５２の孔６０（図７）とにボルト４２を挿通し、このボルト４２にナット４３を螺合する。このとき、横方向最端部に配設された支柱２２においては、接合部５２の側面にボルト４２を用いて取付金具７８を取り付ける。
【００４０】
その後、図７および図８に示すように、ネットユニット２０および支柱２２の側端部に化粧カバー２４を装着する。つまり、ネットユニット２０の縦方向側端部においては、化粧カバー２４の段差部２４ｇをネジ４５を用いて挟持部材３０に固定する（図８）。また、ネットユニット２０の横方向側端部においては、化粧カバー２４の下側水平部２４ａをネジ４５を用いて支柱２２に固定し、かつ、段差部２４ｇをネジ４５を用いて取付金具７８に固定する。そして、コーナー部においては、２つの化粧カバー２４を、コーナー部材８４を介して直角に接合する。
【００４１】
施工後の落下物防御ネット１０において、ネット２６が落下物１６を受けると、ネット２６には過大な衝撃が作用し、挟持部材３０による挟持箇所においてネット２６が摺動する。したがって、落下物１６による衝撃は、ネット２６を摺動させるエネルギーに変換されて効率よく吸収される。また、この衝撃等によってネットユニット２０が損傷した際には、ネットユニット２０の下側において、これを簡単に交換することができる。
【００４２】
なお、上述の実施例では、支柱２２をベランダ１４（図１）の天井部分１４ａ（図１０）に取り付けるようにしているが、支柱２２の取り付け箇所は適宜変更可能である。そして、固定部材５４による取り付けが困難な場合には、図１３に示すように、取り付け箇所に円柱状の取付柱５８を配設し、この取付柱５８に支柱本体４８を被せて固定するようにしてもよい。
【図面の簡単な説明】
【００４３】
【図１】落下物防御ネットが適用された建造物を示す斜視図
【図２】落下物防御ネットを示す平面図
【図３】ネットユニットを示す平面図
【図４】図３におけるIV-IV線断面図
【図５】支柱を示す斜視図
【図６】支柱を示す正面図
【図７】図２におけるVII-VII線断面図
【図８】図２におけるVIII-VIII線断面図
【図９】支柱をベランダの天井部分に固定する工程を示す平面図
【図１０】支柱をベランダの天井部分に固定する工程を示す正面図
【図１１】支柱にネットユニットを載置する工程を示す平面図
【図１２】支柱にネットユニットを固定する工程を示す断面図
【図１３】取付柱に支柱本体を被せた状態を示す断面図
【符号の説明】
【００４４】
１０…  落下物防御ネット
１４ａ…  天井部分
１６…  落下物
２０…  ネットユニット
２２…  支柱
２４…  化粧カバー
２６…  ネット
２８…  枠体
３０…  挟持部材
３４…  屈曲部
３６…  棒状部材
３８，４５…  ネジ
４０，４７，４９，７６，８０…  ネジ孔
４２，６２，６６…  ボルト
４３，７２，８６…  ナット
４４，４６，６０，６４，６８，７０，７４，８２…  孔
４８…  支柱本体
５２…  接合部
５４…  固定部材
５６…  突条
５８…  取付柱
７８…  取付金具
８４…  コーナー部材
【図１】
0004673225.tif 000002
【図２】
0004673225.tif 000003
【図３】
0004673225.tif 000004
【図４】
0004673225.tif 000005
【図５】
0004673225.tif 000006
【図６】
0004673225.tif 000007
【図７】
0004673225.tif 000008
【図８】
0004673225.tif 000009
【図９】
0004673225.tif 000010
【図１０】
0004673225.tif 000011
【図１１】
0004673225.tif 000012
【図１２】
0004673225.tif 000013
【図１３】
0004673225.tif 000014